(57)【特許請求の範囲】
【請求項１】
被洗浄車両と洗車機本体を相対移動させて前記被洗浄車両の洗浄を行う、セルフ洗車の洗車設備であって、
前記被洗浄車両の移動径路に面する操作面を有する操作装置を設け、
前記操作面に、前記被洗浄車両のオーナーである運転者が、洗車設備の作業者に対して作業者が係わる各種のタイヤやカーメンテナンス用品の販売に繋ぐことができるカーメンテナンス作業を依頼できる選択入力手段を設け、
前記選択入力手段により前記カーメンテナンス作業が依頼されたことを前記作業者へ報知する報知手段を設けたこと
を特徴とする洗車設備。
【請求項２】
前記報知手段として、前記洗車機本体に表示手段、または前記作業者が常駐するエリアに音声発生手段を設け、あるいは前記洗車機本体に表示手段、および前記エリアに音声発生手段を設けたこと
を特徴とする請求項１に記載の洗車設備。
【請求項３】
前記報知手段として、前記洗車機本体に、前記作業者が有する携帯端末器に対して前記作業が依頼されたことを送信する送信手段を設けたこと
を特徴とする請求項１または請求項２に記載の洗車設備。
【請求項４】
前記送信手段は、洗車作業の終了の一定時間前、または最終工程の実行開始時に、洗車作業終了予告を、前記作業者が有する携帯端末器に対して送信すること
を特徴とする請求項３に記載の洗車設備。
【請求項５】
前記送信手段は、前記一定時間前または洗車作業の最終工程の実行開始時から、一定間隔時間おきに、洗車作業終了しつつあることを、前記作業者が有する携帯端末器に対して送信すること
を特徴とする請求項４に記載の洗車設備。
【請求項６】
前記送信手段は、洗車作業の終了時に、洗車作業終了を、前記作業者が有する携帯端末器に対して送信すること
を特徴とする請求項３〜請求項５のいずれかに記載の洗車設備。
【請求項７】
前記選択入力手段により前記作業が依頼されているとき、洗車作業の終了時に、前記被洗浄車両の運転者に対して、洗車作業後に前記依頼した作業が実行されることを報知する音声発生手段を設けたこと
を特徴とする請求項１〜請求項６のいずれかに記載の洗車設備。
【請求項８】
前記選択入力手段により前記作業が依頼されているとき、洗車作業の終了時に、前記被洗浄車両の運転者に対して、前記依頼した作業を実行するエリアへ被洗浄車両を誘導する誘導手段を設けたこと
を特徴とする請求項１〜請求項７のいずれかに記載の洗車設備。
【請求項９】
前記選択入力手段により前記作業が依頼されているとき、洗車作業の終了時に、前記被洗浄車両の退出を規制する規制手段を設けたこと
を特徴とする請求項１〜請求項８のいずれかに記載の洗車設備。
【発明の詳細な説明】
【技術分野】
【０００１】
本発明は、被洗浄車両と洗車機本体を相対移動させて前記被洗浄車両の洗浄を行う洗車設備、特にセルフ洗車を行う洗車設備に関するものである。
【背景技術】
【０００２】
従来の洗車設備の一例が特許文献１に開示されている。セルフ洗車では、洗車開始前、被洗浄車両の運転者が自ら洗車位置へ被洗浄車両を進入（移動）させ、洗車設備の操作を行い、洗車終了後、運転者が自ら被洗浄車両を退場させることを行っている。
【０００３】
特許文献１の洗車設備においては、洗車機本体から前方に突出されたアームに、洗車機本体による自動洗車に必要な情報を操作入力する操作パネルなどが配列された操作ボックスが昇降自在に設けられている。
【０００４】
被洗浄車両の運転者は、被洗浄車両をこの操作ボックスの脇まで進入させ、運転席から操作パネルを操作して、洗車に必要な情報を入力すると、洗車が開始される。
【特許文献１】特開２００４−１８２１３７号公報
【発明の開示】
【発明が解決しようとする課題】
【０００５】
近年、サービスステーションでは、タイヤやカーメンテナンス用品（オイル、バッテリー液、ウインドウウォッシャー液）の販売に力をいれている。このような販売につなげるために、サービスステーションの作業者は、ガソリンの給油にきた車両に対して、タイヤのエアーチェック、オイルバッテリーチェック、ウインドウウォッシャー液チェック等をサービスで行っている。
【０００６】
しかし、セルフ洗車にきた車両では運転者が自ら洗車機の操作を行うことからサービスステーションの作業者は前記運転者と接触する機会がないために、サービスステーションの作業者は、セルフ洗車にきた車両の運転者に対して上記サービスを提案し、実施する機会がなく、タイヤやカーメンテナンス用品の販売につなげることは困難であった。
【０００７】
そこで、本発明は、セルフ洗車にきた車両の運転者に対して上記サービスを提案でき、タイヤやカーメンテナンス用品の販売に繋ぐことができる洗車設備を提供することを目的としたものである。
【課題を解決するための手段】
【０００８】
前述した目的を達成するために、本発明のうち請求項１に記載の発明は、被洗浄車両と洗車機本体を相対移動させて前記被洗浄車両の洗浄を行う洗車設備であって、前記被洗浄車両の移動径路に面する操作面を有する操作装置を設け、前記操作面に、前記被洗浄車両のオーナーである運転者が、洗車設備の作業者に対して作業者が係わる各種のタイヤやカーメンテナンス用品の販売に繋ぐことができるカーメンテナンス作業を依頼できる選択入力手段を設け、前記選択入力手段により前記カーメンテナンス作業が依頼されたことを前記作業者へ報知する報知手段を設けたことを特徴とするものである。
【０００９】
上記構成によれば、報知手段により洗車設備の作業者へ、被洗浄車両の運転者により作業者が係わる作業が依頼されたことが報知される。よって、洗車設備の作業者は、被洗浄車両の洗車終了時に、被洗浄車両の運転者から連絡がなくても、被洗浄車両の依頼された作業を実行できる。
【００１０】
また請求項２に記載の発明は、請求項１に記載の発明であって、前記報知手段として、前記洗車機本体に表示手段、または前記作業者が常駐するエリアに音声発生手段を設け、あるいは前記洗車機本体に表示手段、および前記エリアに音声発生手段を設けたことを特徴とするものである。
【００１１】
上記構成によれば、洗車機本体に設けた表示手段と作業者が常駐するエリアの設けた音声発生手段の少なくとも一方により、洗車設備の作業者へ、被洗浄車両の運転者により作業者が係わる作業が依頼されたことが報知される。
【００１２】
また請求項３に記載の発明は、請求項１または請求項２に記載の発明であって、前記報知手段として、前記洗車機本体に、前記作業者が有する携帯端末器に対して前記作業が依頼されたことを送信する送信手段を設けたことを特徴とするものである。
【００１３】
上記構成によれば、送信手段により洗車設備の作業者が有する携帯端末器に対して前記作業が依頼されたことが送信され、前記作業者へ、被洗浄車両の運転者により作業者が係わる作業が依頼されたことが報知される。
【００１４】
また請求項４に記載の発明は、請求項３に記載の発明であって、前記送信手段は、洗車作業の終了の一定時間前、または最終工程の実行開始時に、洗車作業終了予告を、前記作業者が有する携帯端末器に対して送信することを特徴とするものである。
【００１５】
上記構成によれば、送信手段より、洗車作業の終了の一定時間前、または洗車作業の最終工程の実行開始時に、洗車作業終了予告が、作業者が有する携帯端末器へ送信される。よって、洗車設備の作業者は、洗車作業が終了する前に洗車設備へ行くことができ、運転者を待たせることなく、被洗浄車両の依頼された作業を実行できる。
【００１６】
また請求項５に記載の発明は、請求項４に記載の発明であって、前記送信手段は、前記一定時間前または洗車作業の最終工程の実行開始時から、一定間隔時間おきに、洗車作業が終了しつつあることを、前記作業者が有する携帯端末器に対して送信することを特徴とするものである。
【００１７】
上記構成によれば、送信手段により、一定時間前または洗車作業の最終工程の実行開始時から一定間隔時間おきに、洗車作業が終了しつつあることが、作業者が有する携帯端末器へ送信される。よって、作業者は、洗車作業が終了することを何回も認識し、忘れることが防止される。
【００１８】
また請求項６に記載の発明は、請求項３〜請求項５のいずれかに記載の発明であって、前記送信手段は、洗車作業の終了時に、洗車作業終了を、前記作業者が有する携帯端末器に対して送信することを特徴とするものである。
【００１９】
上記構成によれば、送信手段により、洗車作業の終了時に、洗車作業終了が、作業者が有する携帯端末器へ送信される。よって、洗車設備の作業者は、洗車作業が終了した被洗浄車両に対して、被洗浄車両の依頼された作業を実行できる。
【００２０】
また請求項７に記載の発明は、請求項１〜請求項６のいずれかに記載の発明であって、前記選択入力手段により前記作業が依頼されているとき、洗車作業の終了時に、前記被洗浄車両の運転者に対して、洗車作業後に前記依頼した作業が実行されることを報知する音声発生手段を設けたことを特徴とするものである。
【００２１】
上記構成によれば、洗車作業の終了時に、音声発生手段により前記被洗浄車両の運転者に、洗車作業後に前記依頼した作業が実行されることが報知されることにより、運転者が作業を依頼したことを失念して被洗浄車両を退出させてしまう恐れが解消される。
【００２２】
また請求項８に記載の発明は、請求項１〜請求項７のいずれかに記載の発明であって、前記選択入力手段により前記作業が依頼されているとき、洗車作業の終了時に、前記被洗浄車両の運転者に対して、前記依頼した作業を実行するエリアへ被洗浄車両を誘導する誘導手段を設けたことを特徴とするものである。
【００２３】
上記構成によれば、洗車作業の終了時に、誘導手段により依頼した作業を実行するエリアへ被洗浄車両が誘導されることにより、運転者が作業を依頼したことを失念して被洗浄車両を退出させてしまう恐れが解消される。
【００２４】
また請求項９に記載の発明は、請求項１〜請求項８のいずれかに記載の発明であって、前記選択入力手段により前記作業が依頼されているとき、洗車作業の終了時に、前記被洗浄車両の退出を規制する規制手段を設けたことを特徴とするものである。
【００２５】
上記構成によれば、洗車作業の終了時に、規制手段により被洗浄車両の退出が規制されることにより、運転者が作業を依頼したことを失念して被洗浄車両を退出させてしまう恐れが解消される。
【発明の効果】
【００２６】
本発明の洗車設備は、報知手段により洗車設備の作業者へ、被洗浄車両の運転者により作業者が係わる作業、例えばカーメンテナンス作業が依頼されたことが報知されることにより、洗車設備の作業者は、被洗浄車両の洗車終了時に、被洗浄車両の運転者から連絡がなくても、被洗浄車両の依頼された作業を実行でき、例えばカーメンテナンス用品の販売につなげることができる、という効果を有している。
【発明を実施するための最良の形態】
【００２７】
以下、本発明の実施の形態を図面に基づいて説明する。
図１は本実施の形態における洗車設備の側面図、図２は同洗車設備の洗車機の正面図である。図示する洗車機は、ドライブスルータイプの洗車機（前方から洗車機本体内へ進入した被洗浄車両を洗車終了後に後方へ通り抜け退場させる方式のセルフ洗車機）としている。
【００２８】
図１〜図４において、１は被洗浄車両である車両２を跨ぎ、車両２の前後方向に走行する門型の洗車機本体であり、車両２と洗車機本体１を車両２の前後方向に相対移動させながら、車両２に対して洗車を行う洗車機が構成されている。洗車機本体１は、車両２の洗浄（ワックスがけを含む）を行う前部本体１Ａと、車両２の乾燥を行う後部本体１Ｂに分離され、前部本体１Ａと後部本体１Ｂはそれぞれ複数個の輪体３を介して床面４に敷設された一対の走行レール５の上をそれぞれ別個に走行可能とされ、実行可能な複数の洗車コース（洗車処理の一例）の中から選択された一つの洗車コースに基づいて、車両２を跨いで相対移動しながら車両２に対して洗車を行うように構成されている。
【００２９】
上記前部本体１Ａ内には、図示しないが、上記車両２の洗浄装置として、車両２へ洗浄水（リンス）、あるいは洗剤、あるいは撥水コート剤、あるいはワックスを噴霧するスプレー装置と、車両２をブラッシングするトップブラシ、サイドブラシ等が配置され、さらに洗浄装置の制御・保護に必要な各種センサが配置されている。また後部本体１Ｂ内には、図示しないが、車両２の乾燥装置として、トップノズル、サイドノズル、ブロワ装置等が配置され、さらに乾燥装置の制御・保護に必要な各種センサが配置されている。
【００３０】
また前部本体１Ａの前端部に、前方に突出させて、洗車機本体１による自動洗車に必要な情報を操作入力する操作パネルなどが配列された操作ボックス（操作手段の一例）１１が昇降自在に設けられ、さらに車両２の運転者に車両２の進入および停止を報知する手段として、緑色ランプからなる進入信号灯１２と赤色ランプからなる停止信号灯１３が設けられている。また前部本体１Ａの前面上部には、洗車設備の作業者へ車両２の運転者がカーメンテナンス作業（後述する）を選択したことを表示する表示灯（報知手段、表示手段の一例）１４が設けられ、上面には、データ送受信用のアンテナ１５が設けられている。
【００３１】
上記車両２の洗車開始時の停止位置（洗車位置）は、走行レール５の始端部のホームポジションＨＰに位置している状態の前部本体１Ａの前方に、車両２の前輪２Ａが洗車開始時に停止する位置として配置されている。また、この洗車位置に車両２が入車したことを車両２の前輪２Ａの検出により検出する光電センサからなるタイヤ検出センサ（停止検出手段の一例）１７が、床面４に設けられている。
【００３２】
また図１に示すように、走行レール５の終端前方の洗車設備の入口に、車両２の前記洗車位置への進入をコントロールする進入遮断機２１と、洗車待ちの車両２が停止していることを検出する進入センサ２２が設けられている。また走行レール５の始端後方の洗車設備の出口に、車両２の運転者へ洗車終了による車両２を誘導する出口誘導灯（指示表示器；誘導手段の一例）２３が設けられている。また前記洗車位置に対応して洗車機本体１の外方に、車両２の運転者へ音声案内する出口スピーカ（音声発生手段の一例）２４と、車両２の退出を一旦規制する退出遮断機（規制手段の一例）２５が設けられている。
【００３３】
上記操作ボックス１１は、図３に示すように、前部本体１Ａの前端部から前方に突出されている支持体３１の先端に垂設された昇降装置３２上に配置されており、操作ボックス１１はこの昇降装置３２により昇降自在とされている。
【００３４】
また操作ボックス１１には、雨よけ用のカバー３３が天井部から正面（車両２に対向する面）に向けて取り付けられ、正面上部には、洗車料金の払い込み装置として、プリペイドカード・リーダライタ３４、紙幣投入機３５、コイン投入機３６、返却レバー３７が設けられ、また下方部に釣銭の返却口３８が設けられている。
【００３５】
また操作ボックス１１の正面中央部に、洗車機本体１による自動洗車に必要な情報を操作入力する操作パネル４１が設けられている。
この操作パネル４１には、図４に示すように、予め設定された洗車コースの中から一つの洗車コースを選択する複数（例えば４つ）の洗車コース選択スイッチ４２と、運転者が依頼するときカーメンテナンス作業を選択可能な複数（例えば、５つ）のカーメンテナンス選択スイッチ（選択入力手段の一例）４３と、車両２に装備されている備品を選択する複数（たとえば４つ）の装備品選択スイッチ４４と、洗車開始（スタート）スイッチ４５と、停止スイッチ４６が設けられている。
【００３６】
前記洗車コース選択スイッチ４２は、洗車コースと料金が提示されて一つの洗車コースを選択するようになっており、例えば「水洗い洗車コース」、「シャンプー洗車コース」、「ワックス洗車コース」、「撥水コート洗車コース」のスイッチが設置されている。またカーメンテナンス選択スイッチ４３は、選択項目と料金が提示されて選択するようになっており、「拭き上げ手伝い」、「タイヤエアーチェック」、「オイルバッテリチェック」（エンジンオイルおよびバッテリのチェック）、「ウインドウウォッシャー液チェック」、「洗車オンリー」（カーメンテナンス作業なし）のスイッチが設置されている。
【００３７】
また操作ボックス１１の正面右側には、図３に示すように、インターフォン４７が設けられ、サービスステーション（洗車設備）の作業者の常駐エリア５６（図５）に設置されたインターフォン５９と接続され、車両２の運転者が前記作業者と連絡をとることができるように構成されている。
【００３８】
また操作ボックス１１の正面の上端には、前記昇降装置３２を操作して操作ボックス１１を下降する手動下降押釦スイッチ４８が設けられ、操作ボックス１１の正面の下端には、前記昇降装置３２を操作して操作ボックス１１を上昇する手動上昇押釦スイッチ４９が設けられている。上記昇降装置３２は、昇降用エアシリンダ５１のピストン５２が支持体３１に垂直に固定され、ロッド５３の先端が操作ボックス１１の底面に固定され、また操作ボックス１１は昇降装置３２の外枠５４に案内されて垂直に昇降されるように構成され、前記押釦スイッチ４８，４９を操作することにより、操作ボックス１１を昇降できるようにされている。
【００３９】
また前記常駐エリア５６には、スピーカ（音声発生手段、報知手段の一例）５７（図５）が設けられている。
上記構成の洗車機の制御構成図を図５に示す。
【００４０】
図５に示すように、洗車本体１（前部本体１Ａ）内に、マイクロコンピュータからなる制御装置（制御手段）６１と、作業者が携帯する携帯端末器６２との間で送受信を行う送受信機６３が備えられ、送受信機６３に前記アンテナ１５が接続されている。
【００４１】
また制御装置６１に、操作ボックス１１と、洗車機本体１（前部本体１Ａと後部本体１Ｂ）に装備された前記各種センサからなるセンサ系６４と、洗車機本体１に装備された、前記洗浄装置、乾燥装置、各前部本体１Ａと後部本体１Ｂをそれぞれ走行駆動する走行駆動装置などからなる駆動系６５と、入口に設けた進入遮断機２１および進入センサ２２と、前記洗車位置に設けたタイヤ検出センサ１７と、前記洗車位置の近傍で洗車機本体１の外方に設けた出口スピーカ２４および退出遮断機２５と、出口に設けた出口誘導灯２３と、洗車機本体１に装備された周辺機器である、送受信機６３、進入信号灯１２、および停止信号灯１３と、常駐エリア５６に設けたスピーカ５７が接続されている。
【００４２】
制御装置６１は、操作ボックス１１からの起動、停止などの操作信号、センサ系６４、進入センサ２２、およびタイヤ検出センサ１７からの検出信号を入力して記憶し、これら操作信号、検出信号に応じて、駆動系６５、進入信号灯１２、停止信号灯１３、進入遮断機２１、出口誘導灯２３、出口スピーカ２４、および退出遮断機２５を制御して洗車設備全体の動作を制御し、洗浄および乾燥動作を実行し、かつ送受信機６３を介して携帯端末器６２と常駐エリア５６のスピーカ５７を制御している。
【００４３】
また制御装置６１には、予め以下の音声データが記憶されている。
ａ．「洗車オンリー」以外のカーメンテナンス選択スイッチ４３の操作による音声データ
・「拭き上げ手伝い」が操作されたとき…拭き上げ手伝いが選択されました。
【００４４】
・「タイヤエアーチェック」が操作されたとき…タイヤエアーのチェックが選択されました。
・「オイルバッテリチェック」が操作されたとき…エンジンオイルおよびバッテリのチェックが選択されました。
【００４５】
・「ウインドウウォッシャー液チェック」が操作されたとき…ウインドウウォッシャー液のチェックが選択されました。
ｂ．洗車作業の最終工程の実行開始時からの音声データ
洗車最終工程の実行開始時…車両の洗車が最終工程に入ります。
【００４６】
洗車最終工程の実行開始時から一定間隔時間おき…洗車が終了します。
ｃ．洗車終了時
「洗車オンリー」以外のカーメンテナンス選択スイッチ４３の操作に基づく音声データ
＊車両２の運転者に対して…洗車が終了しました。この後、サービスマンによりカーメンテナンスを行います。
【００４７】
＊設備の作業者に対して、
・「拭き上げ手伝い」が操作されていたとき…拭き上げ手伝いをして下さい。
・「タイヤエアーチェック」が操作されていたとき…タイヤエアーのチェックをして下さい。
【００４８】
・「オイルバッテリチェック」が操作されていたとき…エンジンオイルおよびバッテリのチェックをして下さい。
・「ウインドウウォッシャー液チェック」が操作されていたとき…ウインドウウォッシャー液のチェックをして下さい。
【００４９】
上記制御装置６１による洗車設備全体の動作を制御し、洗浄および乾燥動作を実行する中で、本発明の要部である、「洗車オンリー」以外のカーメンテナンス選択スイッチ４３が操作されたときの動作を、全体の洗車動作概要を加えて、図６を参照しながら説明する。
【００５０】
「車両の受け入れ」
まず、図６（ａ）に示すように、洗車が可能な状態、すなわち前部本体１Ａが、タイヤ検出センサ１７の位置とほぼ一致する洗車開始位置に停止していることを確認し、かつ進入センサ２２により洗車待ちの車両２を確認すると、進入遮断機２１を開き、進入表示灯２４を点灯する。これにより車両２の進入が許可され、車両２の運転者は車両２の進入を開始する。
【００５１】
「車両の停止処理」
次に図６（ｂ）に示すように、タイヤ検出センサ１７により車両２の前輪２Ａが検出されると、進入表示灯２４を消灯し、停止信号灯１３を点灯する。この停止信号灯１３の点灯に応じて、車両２の運転者は、車両２を洗車位置へ停止する。続いて進入遮断機２１を閉じる。これにより次の車両２の進入が阻止される。
【００５２】
「操作ボックス１１の設定時の処理」
車両２の運転者により、操作ボックス１１により、洗車条件が入力される。すなわち、洗車コースが洗車コース選択スイッチ４２により選択され、カーメンテナンス選択スイッチ４３によりカーメンテナンス作業の依頼の有無および選択がなされ、装備品選択スイッチ４４により装備品が選択され、紙幣やコインにより料金の支払いが実行され、最後にスタートスイッチ４５が操作される。制御装置６１は、洗車コース選択スイッチ４２の選択操作信号および装備品選択スイッチ４４の選択操作信号により、洗車コースの選択および装備品の選択を確認し、洗車条件を設定する。そしてスタートスイッチ４５が操作されると、制御装置６１は、単数または複数のカーメンテナンス選択スイッチ４３の選択操作信号に基づいて次の３つのことを実行する（但し、「洗車オンリー」の選択のときは除く）。
【００５３】
（１）表示灯１４を点灯する。これにより、カーメンテナンス作業が依頼されたことを前記作業者へ報知する。
（２）カーメンテナンス選択スイッチ４３の選択操作信号に基づいて、上記音声データを選択し、この音声データによる音声信号を、常駐エリア５６のスピーカ５７へ出力し、依頼された作業内容を作業者へ報知する。
【００５４】
（３）カーメンテナンス選択スイッチ４３の操作に基づいて、上記音声データを選択し、この音声データによる音声信号を、送受信機６３を介して携帯端末器６２へ送信し、依頼された作業内容を作業者へ報知する。
【００５５】
「洗車動作」
制御装置６１は、スタートスイッチ４５が操作されると、上記カーメンテナンス選択スイッチ４３の選択操作信号に基づく処理と同時に洗車動作を実行する。洗車動作は、まず前部本体１Ａを走行させながら、洗浄装置とスプレー装置を使用して車両２の洗浄、ワックスがけを行い、前部本体１Ａと後部本体１Ｂとの間に一定の距離が開くと、前部本体１Ａに接近・離間させながら後部本体１Ｂを走行させ、乾燥装置を使用して車両２の乾燥を行う。
【００５６】
「洗車作業の最終工程からの処理」
図６（ｃ）に示すように、洗車動作が実行され、前部本体１Ａの洗浄装置とスプレー装置を使用した車両２の洗浄が終了し、洗車作業の最終工程に入ると、上記最終工程の実行開始時の音声データ「車両の洗車が最終工程に入ります。」、すなわち洗車作業終了予告を、送受信機６３を介して携帯端末器６２へ送信し、洗車作業が最終工程に入ったことを作業者に対して報知する。
【００５７】
また以後、一定間隔時間おきに、音声データ「洗車が終了します。」、すなわち洗車作業が終了しつつあることを、送受信機６３を介して携帯端末器６２へ送信して、洗車作業が最終工程を実行中で洗車作業が終了しつつあることを一定時間おきに作業者に対して報知する。
【００５８】
「洗車終了時の処理１」
次に図６（ｄ）に示すように、後部本体１Ｂの乾燥装置を使用した車両２の乾燥が終了し、洗車終了が終了すると、次の３つのことを実行する。
【００５９】
（１）退出遮断機２５を下ろし、車両２の退出を一旦規制する。
（２）車両２の運転者に対する音声データ「洗車が終了しました。この後、サービスマンによりカーメンテナンスを行います。」による音声信号を出口スピーカ２４へ出力し、車両２の運転者に対して、出口スピーカ２４により洗車作業後に前記依頼した作業が実行されることを報知する。
【００６０】
（３）同時に、カーメンテナンス選択スイッチ４３の選択操作信号に基づく音声データを選択し、その音声信号を送受信機６３を介して携帯端末器６２へ送信して、洗車作業終了、および実行するカーメンテナンス作業の内容を作業者に対して報知する。
【００６１】
「洗車終了時の処理２」
洗車が終了し、一定時間（作業者が洗車設備に確実に到着できるまでの時間）が経過すると、図６（ｅ）に示すように、出口誘導灯２３を点灯し、退出遮断機２５を上げる。これにより、依頼したカーメンテナンスを実行するエリアへ車両２を誘導する。また表示灯１４を消灯する。
【００６２】
続いて図６（ｆ）に示すように、後部本体１Ｂと前部本体１Ａを逆方向に走行させ、洗車開始位置へ戻し、進入遮断機２１を上げて、次の車両２の進入を許可する。
また設備の作業者は、携帯端末器６２により通知されたカーメンテナンス作業の内容に応じて、カーメンテナンスの実行エリアへ誘導された車両２に対して、依頼されたカーメンテナンス作業を実行する。
【００６３】
以上のように本実施の形態によれば、カーメンテナンス選択スイッチ４３によって車両２の運転者により作業者が係わるカーメンテナンス作業が依頼されたことが、洗車機本体１の表示灯１４の点灯および作業者の常駐エリア５６のスピーカ５７からの音声により作業者へ報知されることにより、洗車設備の作業者は、車両２の洗車終了時に、車両２の運転者から連絡がなくても、車両２の依頼されたカーメンテナンス作業を実行でき、これによりタイヤやカーメンテナンス用品の販売に繋ぐことができる。
【００６４】
また本実施の形態によれば、送受信機６３を介して作業者の携帯端末器６２により設備の作業者へ、車両２の運転者により作業者が係わるカーメンテナンス作業が依頼されたことが報知されることにより、作業者は、作業中であっても、車両２の運転者から連絡がなくても、カーメンテナンス作業の依頼を認識できる。
【００６５】
また本実施の形態によれば、洗車作業の最終工程の実行開始時に、送受信機６３を介して携帯端末器６２へ洗車作業の最終工程へ入ったこと、すなわち洗車作業終了予告が報知されることによって、洗車設備の作業者は、洗車作業が終了すると直ぐに、車両２の依頼されたカーメンテナンス作業を実行できる。また最終工程の実行開始時より一定間隔時間おきに、送受信機６３を介して携帯端末器６２へ洗車作業が終了しつつあることが報知されることによって、洗車設備の作業者は、確実に連絡を受けることができ、忘れずに、洗車作業が終了すると直ぐに、車両２の依頼されたカーメンテナンス作業を実行できる。
【００６６】
また本実施の形態によれば、洗車作業の終了時に、送受信機６３を介して携帯端末器６２へ洗車作業終了が報知されることによって、設備の作業者は、洗車作業が終了した車両２に対して、車両２へ依頼されたカーメンテナンス作業を確実に実行できる。
【００６７】
また本実施の形態によれば、洗車作業の終了時に、出口スピーカ２４により車両２の運転者に、洗車作業後に依頼したカーメンテナンス作業が実行されることが報知されることにより、運転者が作業を依頼したことを失念して車両２を退出させてしまう恐れを解消できる。
【００６８】
また本実施の形態によれば、洗車作業の終了時に、出口誘導灯２３により、依頼したカーメンテナンス作業を実行するエリアへ車両２が誘導されることにより、運転者は作業を依頼したエリアへ速やかに車両２を移動でき、また依頼したことを失念して車両２を退出させてしまう恐れを解消できる。
【００６９】
また本実施の形態によれば、洗車作業の終了時に、退出遮断機２５により車両２の退出が一旦規制されることにより、運転者が作業を依頼したことを失念して車両２を退出させてしまう恐れを解消できる。
【００７０】
なお、本実施の形態では、報知手段として、洗車機本体１に表示灯１４を設け、かつ常駐エリア５６にスピーカ５７を設けているが、必ずしも両方に設ける必要はなく、洗車機本体１に表示灯１４を設けるだけ、または常駐エリア５６にスピーカ５７を設けるだけとすることもできる。
【００７１】
また本実施の形態では、洗車作業の最終工程の実行開始時に、送受信機６３を介して携帯端末器６２に対して洗車作業終了予告を送信しているが、予め設定された洗車動作開始時から洗車終了までの予定時間より一定時間前（洗車作業の終了の一定時間前）に、洗車作業終了予告を送信するようにすることもできる。
【００７２】
また本実施の形態では、洗車作業の最終工程の実行開始時から一定間隔時間おきに、送受信機６３を介して携帯端末器６２に対して洗車作業が終了しつつあることを送信しているが、携帯端末器６２側でこの受信を止めるようにすることも可能である。但し、洗車作業の終了時に、送受信機６３を介して携帯端末器６２へ送信される洗車作業終了の報知は止めることはできないものとする。
【００７３】
また本実施の形態では、携帯端末器６２に音声データを送信しているが、音声データに代えて、または音声データとともに、文字データ（音声データを文書化したもの）を送信するようにすることもできる。
【００７４】
また本実施の形態では、退出遮断機２５は、制御装置６１により自動で開くようにしているが、作業者が手動で開くようにすることもできる。これにより、作業者が洗車設備に到着し、車両２を確実に捕らえることができる。
【００７５】
また本実施の形態では、操作ボックス１１を昇降する昇降手段として、昇降用エアシリンダ５１を使用しているが、電動モータ駆動のリフト機構など他の昇降手段を使用してもよい。
【００７６】
また本実施の形態では、タイヤ検出センサ１７を光電センサで形成しているが、このような光電センサに限ることはなく、車両２の車輪（前輪２Ａ）を検出できる手段であればよく、たとえば超音波センサなど使用することもできる。
【００７７】
また本実施の形態では、操作ボックス１１を前部本体１Ａに設けているが、必ずしも洗車機本体１（前部本体１Ａ）に設ける必要はなく、洗車機本体１とは別途、床面４に設けることができる。このとき、操作ボックス１１は、車両２が洗車開始位置（洗車開始時の停止位置）に停止したときに操作可能な位置に配置する。
【００７８】
また本実施の形態では、洗車機本体１（前部本体１Ａと後部本体１Ｂ）のみを移動させ、洗車機本体１と車両２を相対移動させて車両２の洗車を行っているが、前部本体１Ａと後部本体１Ｂを接近・離間させながら移動させるとともに、ローラコンベヤ（車両移動手段）を用いて車両２を前後に移動させ、相対移動するようにすることもできる。また洗車機は、洗車機本体１を前部本体１Ａと後部本体１Ｂに分離して独立して走行可能なタイプとしているが、洗車機は、分離してい公知の一体型のタイプであってもよく、また洗車機本体１を固定し、車両２をローラコンベヤなどの移動手段で移動させながら洗車を行う連続洗車機のタイプであってもよい。
【図面の簡単な説明】
【００７９】
【図１】本発明の実施の形態における洗車設備の側面図である。
【図２】同洗車設備の洗車機本体の正面図である。
【図３】同洗車設備の操作ボックスの正面図である。
【図４】同洗車設備の操作ボックスの操作パネルの正面図である。
【図５】同洗車設備の制御構成図である。
【図６】同洗車設備の動作説明図である。
【符号の説明】
【００８０】
１    洗車機本体
１Ａ  前部本体
１Ｂ  後部本体
２    車両
１１  操作ボックス
１４  表示灯
１５  アンテナ
２１  進入遮断機
２２  進入センサ
２３  出口誘導灯
２４  出口スピーカ（音声発生手段）
２５  退出遮断機
４１  操作パネル
４２  洗車コース選択スイッチ
４３  カーメンテナンス選択スイッチ
４４  装備品選択スイッチ
４５  洗車開始（スタート）スイッチ
４６  停止スイッチ
５６  常駐エリア
５７  スピーカ（音声発生手段）
５８  インターフォン
６１  制御装置（制御手段）
６２  携帯端末器
６３  送受信機
【図１】
0005104349.tif 000002
【図２】
0005104349.tif 000003
【図３】
0005104349.tif 000004
【図４】
0005104349.tif 000005
【図５】
0005104349.tif 000006
【図６】
0005104349.tif 000007